(57)【要約】【課題】容器本体の内部に袋体を吊下げ保持可能であるとともに、容器本体と蓋体との間のシール性を確保することが可能な蓋付き容器を提供する。【解決手段】上端開口部１１を有する有底筒状の容器本体１０と、容器本体１０に着脱可能に装着され、上端開口部１１を気密状態で閉塞可能な蓋体２０と、蓋体２０の下面側に着脱可能に嵌合保持される保持部材３０と、を備え、蓋体２０と、蓋体２０に嵌合保持される保持部材３０との間に、袋体Ｂに連結された紐状部分Ｃを挟み込むことで、容器本体１０の内部に袋体Ｂを吊下げ保持可能に構成されており、保持部材３０は、蓋体２０の下面に設けられた嵌合筒部２４に差込まれて嵌合保持される差込み部３１と、差込み部３１に連なる把持部３２と、を有し、差込み部３１には、紐状部分Ｃを配置可能な切欠き部３３が設けられていることを特徴とする。【選択図】図１
2019187518.tif 000002
【特許請求の範囲】
【請求項１】
上端開口部を有する有底筒状の容器本体と、
前記容器本体に着脱可能に装着され、前記上端開口部を気密状態で閉塞可能な蓋体と、
前記蓋体の下面側に着脱可能に嵌合保持される保持部材と、を備え、
前記蓋体と、該蓋体に嵌合保持される前記保持部材との間に、袋体に連結された紐状部分を挟み込むことで、前記容器本体の内部に前記袋体を吊下げ保持可能に構成されており、
前記保持部材は、前記蓋体の下面に設けられた嵌合筒部に差込まれて嵌合保持される差込み部と、前記差込み部に連なる把持部と、を有し、
前記差込み部には、前記紐状部分を配置可能な切欠き部が設けられていることを特徴とする蓋付き容器。
【請求項２】
前記保持部材が前記蓋体に嵌合保持された状態で、前記把持部の下端部が前記蓋体の周壁の下方に突出する、請求項１に記載の蓋付き容器。
【請求項３】
前記容器本体の胴部は、大径部と、該大径部よりも内径が小さい小径部とを有し、
前記大径部の内周面には雌ねじ部が設けられており、
前記蓋体は、前記雌ねじ部に係合する雄ねじ部が設けられた周壁を有する、請求項１または２に記載の蓋付き容器。
【請求項４】
前記周壁の外周面における前記雄ねじ部の下方には、環状のシール部材が取り付けられている、請求項３に記載の蓋付き容器。
【請求項５】
前記雄ねじ部及び前記雌ねじ部の少なくとも一方には、軸方向に延在する縦溝が形成されており、
前記容器本体から前記蓋体を取り外す過程において、前記蓋体と前記容器本体との間の密閉状態が解除された時に、容器本体の内部の空間が該縦溝を介して外部空間と連通するよう構成されている、請求項３または４に記載の蓋付き容器。
【発明の詳細な説明】
【技術分野】
【０００１】
本発明は、容器本体と蓋体とを備え、ティーバッグ等の袋体を内部に吊下げ保持可能とした蓋付き容器に関する。
【背景技術】
【０００２】
従来、茶葉等を内包した袋体をカップ等の容器内の液体に浸漬させることにより、茶葉等の成分を液体に浸出させるティーバッグが知られている。このようなティーバッグを使用することで、液体に茶葉等から抽出される香りや風味（フレーバー）を付与することができる。
【０００３】
特許文献１には、お茶素材を詰めた長い棒状包材（袋体）をペットボトル内の水に浸漬させ、且つペットボトルの口部の上縁で折り返した部分を口部の外周面とキャップの内周面との間に挟み込んで保持する構成が開示されている。このような構成により、包材の内容物に応じた飲料等を簡単に作り出すことができ、また、持ち運びも容易とされている。
【先行技術文献】
【特許文献】
【０００４】
【特許文献１】登録実用新案第３００１３９１号公報
【発明の概要】
【発明が解決しようとする課題】
【０００５】
しかしながら、特許文献１に記載の容器は、容器の口部とキャップの間に棒状包材の上部（折返し部分）を挟み込む構成としているため、口部の外周面とキャップの内周面との間に隙間が形成されてシール性が低下し、持ち運ぶ際などに内容物が漏出する虞があった。
【０００６】
それゆえ本発明は、容器の内部に袋体を吊下げ保持可能であるとともに、容器本体と蓋体との間のシール性を確保することが可能な蓋付き容器を提供することを目的とする。
【課題を解決するための手段】
【０００７】
本発明の蓋付き容器は、上端開口部を有する有底筒状の容器本体と、
前記容器本体に着脱可能に装着され、前記上端開口部を気密状態で閉塞可能な蓋体と、
前記蓋体の下面側に着脱可能に嵌合保持される保持部材と、を備え、
前記蓋体と、該蓋体に嵌合保持される前記保持部材との間に、袋体に連結された紐状部分を挟み込むことで、前記容器本体の内部に前記袋体を吊下げ保持可能に構成されており、
前記保持部材は、前記蓋体の下面に設けられた嵌合筒部に差込まれて嵌合保持される差込み部と、前記差込み部に連なる把持部と、を有し、
前記差込み部には、前記紐状部分を配置可能な切欠き部が設けられていることを特徴とするものである。
【０００８】
なお、本発明の蓋付き容器は、前記保持部材が前記蓋体に嵌合保持された状態で、前記把持部の下端部が前記蓋体の周壁の下方に突出することが好ましい。
【０００９】
また、本発明の蓋付き容器は、前記容器本体の胴部は、大径部と、該大径部よりも内径が小さい小径部とを有し、
前記大径部の内周面には雌ねじ部が設けられており、
前記蓋体は、前記雌ねじ部に係合する雄ねじ部が設けられた周壁を有することが好ましい。
【００１０】
また、本発明の蓋付き容器は、前記周壁の外周面における前記雄ねじ部の下方には、環状のシール部材が取り付けられていることが好ましい。
【００１１】
また、本発明の蓋付き容器は、前記雄ねじ部及び前記雌ねじ部の少なくとも一方には、軸方向に延在する縦溝が形成されており、
前記容器本体から前記蓋体を取り外す過程において、前記蓋体と前記容器本体との間の密閉状態が解除された時に、容器本体の内部の空間が該縦溝を介して外部空間と連通するよう構成されていることが好ましい。
【発明の効果】
【００１２】
本発明によれば、容器本体の内部に袋体を吊下げ保持可能であるとともに、容器本体と蓋体との間のシール性を確保することが可能な蓋付き容器を提供することができる。
【図面の簡単な説明】
【００１３】
【図１】本発明の一実施の形態である蓋付き容器の断面図である。
【図２】図１に示す蓋付き容器における保持部材を単独で示す斜視図である。
【発明を実施するための形態】
【００１４】
以下、図面を参照して、本発明をより具体的に例示説明する。
【００１５】
なお、本明細書、特許請求の範囲、要約書及び図面においては、「上」とは、図１に示すように蓋付き容器が正立姿勢の状態における「上」を意味し、当該正立姿勢で容器本体の底部から見て蓋体が位置する側を上側とし、「下」は「上」の反対側を意味するものとする。
【００１６】
図１に示すように、本実施形態の蓋付き容器１は、容器本体１０と、蓋体２０と、保持部材３０と、を備えている。
【００１７】
容器本体１０は、上端開口部１１を有する有底筒状であり、液体等の内容物を収容可能な収容空間Ｓを有する。容器本体１０は、筒状の胴部１２と、胴部１２の下端を閉塞する底部１３とを有する。
【００１８】
胴部１２の上部内周面には、雌ねじ部１４が設けられている。なお、胴部１２は、基本的に軸線Ｏに垂直な断面が円形となるような筒形状であるが、容器本体１０の形状は図示例に限定されず、雌ねじ部１４が設けられている領域以外は、断面が円形でなくてもよい。
【００１９】
底部１３は、略円形の板状である。本例の容器本体１０は、胴部１２の下部から外側に突出する環状の脚部１５を有し、この脚部１５の下端面を水平面に接地させることにより、容器本体１０を図１に示す正立姿勢で自立させることができるように構成されている。なお、脚部１５は必須の構成ではなく、底部１３を接地させることで容器本体１０が自立する構成としてもよい。
【００２０】
また、胴部１２の上部には、胴部１２の他の部分に比べて薄肉に形成された筒状の大径部１６が設けられている。なお、本例において雌ねじ部１４は、大径部１６の内周面に設けられている。大径部１６は、その内径が、後述するシール部材４０の外径よりも大きくなっており、これにより、蓋体２０を容器本体１０に装着する際に、周壁２１をスムーズに胴部１２内に挿入することができる。また、大径部１６の下方には、シール部材４０の外径よりも内径が小さい小径部１７が設けられており、蓋体２０の閉塞状態において当該小径部１７がシール部材４０に当接することで、蓋体２０と容器本体１０との間のシール性を高めている。
【００２１】
蓋体２０は、容器本体１０の胴部１２の上部内周側に配置される略円筒状の周壁２１を備える。また蓋体２０は、周壁２１の上部から径方向外側に突出する外フランジ部２２と、周壁２１の内側を閉塞する天壁２３とを有する。外フランジ部２２は、図１に示す蓋体２０の閉塞状態において、容器本体１０の胴部１２の上端面に当接する。
【００２２】
天壁２３は、周壁２１の下部に連なり、上方に膨出するように湾曲する環状の湾曲部２３ａと湾曲部２３ａの内周縁に連なる平坦な平坦部２３ｂとを備える。天壁２３には、平坦部２３ｂの下面の中央部から軸線Ｏに沿って下方に突出する嵌合筒部２４が設けられている。
【００２３】
周壁２１の外周面には、容器本体１０の雌ねじ部１４に係合する雄ねじ部２５と、雄ねじ部２５の下方に位置する環状の凹部２６が設けられている。凹部２６には、環状のシール部材４０が配置されている。本例においてシール部材４０は、ゴム等の弾性材料で形成された断面円形のＯリングとしているが、これに限られるものではない。また、シール部材４０を設けずに、容器本体１０と蓋体２０とを直接、気密状態で当接させることでシール性を確保するようにしてもよい。周壁２１の下端部には、容器本体１０への蓋体２０の挿入を容易にするための傾斜面２１ａが設けられている。
【００２４】
ここで、本例において、蓋体２０の雄ねじ部２５及び容器本体１０の雌ねじ部１４にはそれぞれ、軸線Ｏに平行な軸方向に延在する縦溝２５ａが形成されている。図１に示すように、雄ねじ部２５には、雄ねじ縦溝２５ａが形成されており、当該雄ねじ縦溝２５ａにおいては、雄ねじ部２５を構成するねじ山が間欠している。なお、図示は省略するが、雌ねじ部１４にも同様の雌ねじ縦溝が設けられており、当該雌ねじ縦溝においてはねじ山が間欠している。容器本体１０から蓋体２０を取り外す過程において、蓋体２０と容器本体１０との間の密閉状態（シール部材４０が周壁２１の外周面及び胴部１２の内周面に気密に当接している状態）が解除された時、ねじの隙間（雄ねじ縦溝２５ａや雌ねじ縦溝）を介して外部空間と連通する。これにより、例えば収容空間Ｓに炭酸飲料が収容され、収容空間Ｓ内の内圧が高くなっている場合でも、蓋体２０を取り外す過程で加圧された収容空間Ｓ内の空気を外部に逃がすこと（ガス抜き）ができるので、蓋体２０を空けた際に内容物が噴き出すといった現象を防止することができる。なお、縦溝は、蓋体２０の雄ねじ部２５及び容器本体１０の雌ねじ部１４の少なくとも何れかに設けられていればよい。また、縦溝は、蓋体２０の雄ねじ部２５及び容器本体１０の雌ねじ部１４の少なくとも一方において、周方向の複数箇所に設けられていてもよいいし、周方向の１箇所のみに設けられていてもよい。また、蓋体２０の雄ねじ部２５及び容器本体１０の雌ねじ部１４は、一条ねじであってもよいし、多条ねじであってもよい。
【００２５】
保持部材３０は、蓋体２０の下面側に着脱可能に嵌合保持される。蓋体２０と、蓋体２０に嵌合保持される保持部材３０との間に、例えばティーバック等の袋体Ｂ（図１の二点鎖線参照）に連結された紐状部分Ｃを挟み込むことで、容器本体１０の内部に袋体Ｂを吊下げ保持可能となっている。これにより、収容空間Ｓに収容した液体に袋体Ｂを浸漬した状態で保持することができ、その結果、袋体Ｂ内の素材（茶葉等）から抽出される香りや風味を液体に付与することができる。なお、収容空間Ｓに収容される液体等の内容物は特に限定されず、また、袋体Ｂに収容される素材等も特に限定されない。袋体Ｂ及び紐状部分Ｃの形状及び大きさも特に限定されない。また、紐状部分Ｃは袋体Ｂの一部であってもよい。すなわち、袋体Ｂと紐状部分Ｃとが一体に形成されていてもよい。
【００２６】
保持部材３０は、図２に示すように、略円筒状の差込み部３１と、差込み部３１の下端部に連なる把持部３２と、を有する。差込み部３１は、蓋体２０の下面に設けられた嵌合筒部２４に差込まれて、着脱可能に嵌合保持される。差込み部３１は、嵌合筒部２４への差し込みが容易となるように、先細り状に形成されている。なお、図示は省略するが、差込み部３１の外周面及び嵌合筒部２４の内周面の少なくとも一方に、例えば凸状の係合部を設けて嵌合させる構成としてもよい。
【００２７】
差込み部３１には、袋体Ｂの紐状部分Ｃを配置可能な切欠き部３３が設けられている。本例では、円筒状の差込み部３１の周方向の２箇所に切欠き部３３が設けられており、また、それぞれの切欠き部３３は、差込み部３１の上端に開口するとともに、軸方向に延在している。なお、切欠き部３３の数、形状、及び位置は図示例に限られず、適宜変更可能である。
【００２８】
把持部３２は、差込み部３１が立設する平坦な頂壁３２ａと、頂壁３２ａの外縁部から垂下する円筒状の筒壁３２ｂと、筒壁３２ｂの下部から径方向外側に突出する環状板部３２ｃとを有する。頂壁３２ａには、複数の貫通孔３２ｄが形成されている。貫通孔３２ｄは、蓋体２０から取り外した保持部材３０を誤って飲み込んでしまった際に窒息することを防止するための孔である。また、特に幼児等による保持部材３０の誤飲防止のため、保持部材３０の最大外径（本例では環状板部３２ｃの直径）は、３０ｍｍ以上であることが好ましい。
【００２９】
本例では、図１に示すように、保持部材３０が蓋体２０に嵌合保持された状態で、把持部３２の下端部（本例では環状板部３２ｃ）が蓋体２０の周壁２１の下方に突出するように構成されている。このような構成とすることにより、容器本体１０から取り外した状態の蓋体２０に対して保持部材３０を着脱することが容易となる。特に、蓋体２０から保持部材３０を取り外す作業が容易となる。
【００３０】
なお、把持部３２の外径（本例では環状板部３２ｃの直径）は、周壁２１の外径の１／２以下であることが好ましく、これによれば、把持部３２を持つ際に指が周壁２１に当たり難くなるので、蓋体２０に対する保持部材３０の着脱がより容易となる。
【００３１】
本実施形態の蓋付き容器１を使用する際には、先ず、容器本体１０から蓋体２０を取り外す。そして、容器本体１０の収容空間Ｓに内容物を注ぎ入れる。また、保持部材３０の切欠き部３３内に袋体Ｂの紐状部分Ｃを配置して、再び保持部材３０を蓋体２０に取り付ける。蓋体２０の嵌合筒部２４に保持部材３０の差込み部３１を差し込むことで、蓋体２０に対して保持部材３０が嵌合保持されるとともに、嵌合筒部２４と差込み部３１との間に挟持される紐状部分Ｃは、脱落を抑制された状態で保持される。
【００３２】
そして、収容空間Ｓに液体状の内容物を収容した容器本体１０に蓋体２０を装着することで、袋体Ｂが収容空間Ｓに配置されるとともに、当該収容空間Ｓは密閉された状態となる。袋体Ｂは、蓋付き容器１の内部（収容空間Ｓ）において内容物に浸漬された状態で、蓋体２０から吊下げ保持される。なお、収容空間Ｓに収容される内容物の量が少ない場合等においては、密閉状態の蓋付き容器１を倒立姿勢（蓋体２０を下側に向けた姿勢）とすることで、より確実に袋体Ｂを内容物に浸漬させることができる。そして、このように袋体Ｂが内容物に浸漬された状態で、所定時間放置することで、袋体Ｂに収容された素材の成分が抽出され、内容物に香りや風味（フレーバー）を付与することができる。なお、本実施形態の蓋付き容器１にあっては、蓋体２０を容器本体１０に装着することで、収容空間Ｓが気密状態で閉塞された密閉状態となるため、図１に示す正立姿勢に限らず、蓋体２０を下側に向けた倒立姿勢としても内容物が漏れ出すことがない。
【００３３】
上記の方法で香りや風味が付与された内容物（液体飲料）を飲む際には、容器本体１０を正立姿勢とした状態で蓋体２０を容器本体１０から取り外すだけでよい。すなわち、蓋体２０を取り外すことで、蓋体２０をと共に保持部材３０及び袋体Ｂも同時に容器本体１０から取り外すことができる。また、袋体Ｂを蓋体２０から取り外す際は、蓋体２０から保持部材３０を取り外すだけでよい。すなわち、蓋体２０から保持部材３０を取り外すことで、蓋体２０と保持部材３０とで挟持されていた紐状部分Ｃが自動的に外れるため、容易に袋体Ｂを取り外すことができる。
【００３４】
このように、図１に示す閉塞状態から、蓋体２０を容器本体１０から取り外し、蓋体２０から保持部材３０を取り外すまでの間に、一度も袋体Ｂに直接触れる必要がない。したがって、図１に示す閉塞状態から一度も袋体Ｂに触れることなく、袋体Ｂを廃棄することができるので、例えば袋体Ｂに付着した内容物が手に付着する虞もない。
【００３５】
本実施形態の蓋付き容器１にあっては、容器本体１０と蓋体２０との間に袋体Ｂの紐状部分Ｃ等を挟むことなく、収容空間Ｓに袋体Ｂを吊下げ保持可能な構成となっているため、容器本体１０と蓋体２０との間のシール性を確保することができる。これにより、内容物が収容された蓋付き容器１を持ち運ぶ際などに内容物が漏れ出す虞がない。
【００３６】
また、本実施形態の蓋付き容器１にあっては、容器本体１０と蓋体２０との間のシール性を確保しているため、炭酸飲料等の内容物を収容するのにも適している。すなわち、炭酸飲料を収容した場合でも、容器本体１０と蓋体２０との間のシール性が確保されているため、蓋体２０を開く前に炭酸が抜けてしまうことを防止することができる。また、例えば収容空間Ｓに収容したビールに袋体Ｂを浸漬させることで、所望のフレーバーが付与されたフレーバービールを容易に作ることができる。
【００３７】
また、本実施形態の蓋付き容器１にあっては、胴部１２の内周面に雌ねじ部１４を設けているため、容器本体１０の胴部１２に直接、口を付けて収容空間Ｓ内の飲料を飲む際に、ねじ山等の凹凸が口に当たらず、飲み易くなっている。
【００３８】
本発明は前記実施の形態に限定されるものではなく、その要旨を逸脱しない範囲で種々変更可能であることはいうまでもない。例えば、前記実施の形態においては、胴部１２の内周面に雌ねじ部１４を設けているが、これに限らず、胴部１２の外周面に雄ねじ部を設ける構成としてもよい。その場合には、蓋体が、胴部１２の外周側に配置される外周壁を有し、当該外周壁の内周面に雌ねじ部を設ける。また、蓋体２０は、容器本体１０にねじ係合する構成に限らず、上端開口部１１を気密状態で閉塞可能であれば、凹凸によるアンダーカット係合により抜け止め保持される構成としてもよい。
【符号の説明】
【００３９】
１：蓋付き容器
１０：容器本体
１１：上端開口部
１２：胴部
１３：底部
１４：雌ねじ部
１５：脚部
１６：大径部
１７：小径部
２０：蓋体
２１：周壁
２１ａ：傾斜面
２２：外フランジ部
２３：天壁
２３ａ：湾曲部
２３ｂ：平坦部
２４：嵌合筒部
２５：雄ねじ部
２５ａ：雄ねじ縦溝（縦溝）
２６：凹部
３０：保持部材
３１：差込み部
３２：把持部
３２ａ：頂壁
３２ｂ：筒壁
３２ｃ：環状板部（把持部の下端部）
３２ｄ：貫通孔
３３：切欠き部
４０：シール部材
Ｂ：袋体
Ｃ：紐状部分
Ｏ：軸線
Ｓ：収容空間
【図１】
2019187518.tif 000003
【図２】
2019187518.tif 000004